Podtech/llm-jp-corpus-v4-ja_patent huggingface dataset:
【誤訳訂正書】
【提出日】平成23年2月9日(2011.2.9)
【誤訳訂正１】
【訂正対象書類名】明細書
【訂正対象項目名】特許請求の範囲
【訂正方法】変更
【訂正の内容】
【特許請求の範囲】
【請求項１】  ＬＥＤの少なくとも２つのストランドから成っているＬＥＤアレイに対する制御回路であって、
１つのストランドは、直列に配置されている複数のＬＥＤから成っており、該ＬＥＤは給電電圧（ＵＢａｔｔ）に接続されており、
それぞれのストランドと所属の給電電圧との間に、半導体スイッチ（Ｔ）が直列に配置されており、該半導体スイッチはＬＥＤ電流をタイミングをとって供給することができるようにし、
少なくとも第１のストランドにおいて順方向電流ＩＦに対する分岐において電流ＩＦを測定するための手段がＬＥＤに対して直列に配置されており、
調整回路が前記電流ＩＦに基づき、以下マスタ・ストランドと称する第１のストランドの半導体スイッチ（Ｔ１）を、ＬＥＤ電流の一定の平均値が得られるように調整する
形式のものにおいて、
前記マスタ・ストランドはそのストランドに前以て決められている数ＸのＬＥＤを有しており、ここで前記調整回路は少なくとも、以下スレーブ・ストランドと称する別の、第２のストランドの半導体スイッチ（Ｔ２）も制御する
ことを特徴とするＬＥＤアレイ用制御回路。
【請求項２】  前記電流ＩＦを測定するための手段は、前記第１のストランドの前記複数のＬＥＤとアースとの間に配置されている、請求項１記載のＬＥＤアレイ用制御回路。
【請求項３】  前記電流ＩＦを測定するための手段は測定抵抗（ＲＳｈｕｎｔ）である、請求項１記載のＬＥＤアレイ用制御回路。
【請求項４】  すべての付加的に存在しているＬＥＤストランドはそれぞれ、マスタ・ストランドと同じ数Ｘ個のＬＥＤを有しており、ここでマスタ・ストランドの調整回路はすべての付加的なＬＥＤストランドを一緒に制御する
請求項３記載のＬＥＤアレイ用制御回路。
【請求項５】  すべての付加的に存在しているｎ個のＬＥＤストランドは、Ｘｎ個のＬＥＤを有しており、ここで数ＸｎはＸ以下であり、
Ｘｎ＜Ｘのときには、付加的な負荷が、ＬＥＤストランドにおいてＬＥＤに直列に配置されている
請求項３記載のＬＥＤアレイ用制御回路。
【請求項６】  前記付加的な負荷は抵抗Ｒｘｎである、請求項５記載のＬＥＤアレイ用制御回路。
【請求項７】  前記付加的に存在しているＬＥＤストランドのＬＥＤの数は、前記第１のＬＥＤの数より３０％少ない、請求項５記載のＬＥＤアレイ用制御回路。
【請求項８】  ＬＥＤの数が異なっている２つの群のストランドはそれぞれ１つのマスタ・ストランドに配属されており、ここで１つの群のスレーブ・ストランドのＬＥＤの数Ｘは所属のマスタ・ストランドにおけるＬＥＤの数と一致している
請求項３記載のＬＥＤアレイ用制御回路。
【請求項９】  スレーブ・ストランドの１つは、断線検出のための手段がマスタ・ストランドの調整回路に存在していることで、リザーブ・マスタ・ストランドとして実現されており、該断線検出のための手段は調整回路における切換スイッチに接続されており、ここで該切換スイッチは一方においてマスタ・ストランドに接続されておりかつ他方において前記リザーブ・マスタ・ストランドに接続されておりかつ、マスタ・ストランドに断線がある場合に該リザーブ・マスタ・ストランドに切り換えられるようになっている
請求項３記載のＬＥＤアレイ用制御回路。
【請求項１０】  それぞれのストランド（マスタ・ストランドおよびスレーブ・ストランド）は付加的に、障害検出のための手段を有している
請求項３記載のＬＥＤアレイ用制御回路。
【請求項１１】  複数のＬＥＤストランドまたはアレイを作動するための方法において、
ＬＥＤストランド（マスタ・ストランド）は、クロック周波数を前以て定める調整回路を備えており、かつ
少なくとも１つの別のＬＥＤストランド（スレーブ・ストランド）は前記クロック周波数によって一緒に制御される
ことを特徴とする方法。
【誤訳訂正２】
【訂正対象書類名】明細書
【訂正対象項目名】００１３
【訂正方法】変更
【訂正の内容】
【００１３】
特別有利な実施の形態において、ストランドにおけるＬＥＤの数を変化させることができる。その際異なった数のＬＥＤを有している（例えばマスタ・ストランドにおけるＬＥＤの数が比較的大きいとき）ＬＥＤストランドを制御するために２つの異なった実施形態がある：
第１の形態において、付加的に、それぞれ１つの直列の負荷（抵抗、Ｚダイオード等）、殊に直列前置抵抗Ｒｘｎがｎ番目のスレーブ・ストランドに接続されて、欠けている単数の発光ダイオード（ないし複数の発光ダイオード）を置換する。その際最大数の発光ダイオードを駆動するＬＥＤストランドの制御クロックがマスタクロックとして使用される（図２）。その際別のストランド（スレーブ・ストランド）におけるＬＥＤの数は同じ大きさかまたは小さく選択される。有利にはこの数はマスタ・ストランドにおける数より最大３０％だけ少なくなるようにして、損失が大きくなりすぎないようにされる。
【誤訳訂正書】
【提出日】平成23年3月3日(2011.3.3)
【誤訳訂正１】
【訂正対象書類名】明細書
【訂正対象項目名】特許請求の範囲
【訂正方法】変更
【訂正の内容】
【特許請求の範囲】
【請求項１】
式Ｉ
【化１】
2003512458.tif 000001
（式中、
Ｒ１、Ｒ２及びＲ３は相互に無関係に水素、Ｃ１−Ｃ８−アルキル、Ｃ３−Ｃ８−シクロアルキル、Ｃ２−Ｃ８−フルオロアルキル及びＣ１−Ｃ８−アルコキシから選ばれ、
Ｒ４及びＲ５相互に無関係に水素、ハロゲン、Ｃ１−Ｃ８−アルキル、Ｃ３−Ｃ８−シクロアルキル、ＣＨ２−Ｃ３−Ｃ８−シクロアルキル、Ｃ１−Ｃ８−アルコキシカルボニル、Ｃ１−Ｃ８−アルコキシ、Ｃ１−Ｃ８−フルオロアルコキシ、ＣＦ３、Ｃ２−Ｃ８−フルオロアルキル及び−Ｃ（Ｏ）Ｏ−Ｃ１−Ｃ８−アルキルから選ばれ、
Ｒ６は水素及びＣ１−Ｃ２−アルキルから選ばれる。）
で表わされる潰瘍治療薬の製造方法において、式ＩＩ
【化２】
2003512458.tif 000002
（式中、Ｒ１、Ｒ２、Ｒ３、Ｒ４、Ｒ５及びＲ６は上述の意味を有する。）
で表わされる化合物をｍ−クロロ過安息香酸とｐＨ≧７．０の溶剤中で反応させ、ついで場合により水を添加し、場合により溶剤を除去し、ついで式Ｉで表わされる化合物の結晶を分離するにあたり、最初に使用される溶剤がアセトン／水−混合物であり、そして上記溶剤のｐＨを、ＮａＯＨを用いてｐＨ静止滴定によってあるいは炭酸ナトリウム、炭酸カリウム、重炭酸ナトリウム及び重炭酸カリウムより成る群から選ばれる、上記溶剤中に溶解された又は添加された一塩基性又は二塩基性塩の添加によって≧７．０の値に保ち、そして反応混合物の温度を、式ＩＩで表わされる化合物とｍ−クロロ過安息香酸の反応の間、−２０℃〜３０℃に保つ、上記製造方法。
【請求項２】
上記反応混合物の温度を−５℃〜５℃に保つ、請求項１記載の方法。
【請求項３】
式Ｉ及びＩＩで表わされる化合物において、
Ｒ１＝ＣＨ３、
Ｒ２＝ＯＣＨ３、
Ｒ３＝ＣＨ３、
Ｒ４＝Ｈ、
Ｒ５＝５位のＯＣＨ３及び
Ｒ６＝Ｈ、
あるいは
Ｒ１＝Ｈ、
Ｒ２＝ＯＣＨ３、
Ｒ３＝ＯＣＨ３、
Ｒ４＝Ｈ、
Ｒ５＝５位のＯＣＦ２Ｈ及び
Ｒ６＝Ｈである、請求項１又は２記載の方法。
【請求項４】
アセトン／水混合物が１％〜５０％（ｖ／ｖ）水を含有する、請求項１〜３のいずれか１つに記載の方法。
【請求項５】
アセトン／水混合物が５％〜２０％（ｖ／ｖ）水を含有する、請求項４記載の方法。
【請求項６】
アセトン／水混合物が１０％〜１５％（ｖ／ｖ）水を含有する、請求項５記載の方法。
【請求項７】
式ＩＩで表わされる化合物とｍ−クロロ過安息香酸のモル割合が１：０．７−１．４である、請求項１〜６のいずれかに記載の方法。
【請求項８】
上記モル割合が１：０．９−１．２である、請求項７記載の方法。
【請求項９】
アセトン／水混合物を減圧下で除去する、請求項１〜７のいずれかに記載の方法。
【誤訳訂正２】
【訂正対象書類名】明細書
【訂正対象項目名】００３１
【訂正方法】変更
【訂正の内容】
【００３１】
２つの方法で任意の溶剤の除去は、当業者に十分に周知の方法にしたがって行われ、この場合特に溶剤の除去（乾燥）を減圧下で、たとえば真空の適用によって、特に室温以下の温度、好ましくは約０℃で行うのが好ま
【誤訳訂正３】
【訂正対象書類名】明細書
【訂正対象項目名】００３３
【訂正方法】変更
【訂正の内容】
【００３３】
第一方法の処理の場合、そこに記載した反応工程（反応混合物のｐＨを７．０を超えて増加させる）を当業者に周知の方法によって実施する。しかし特に塩基性物質の添加及び（又は）これらの物質の塩基性溶液の添加が好ましく、その際好ましくは濃度≧１．０Ｍを有するＮａＯＨ、炭酸ナトリウム又は炭酸カリウム又は重炭酸ナトリウム又は重炭酸カリウムの溶液の添加が好ましい。
【誤訳訂正４】
【訂正対象書類名】明細書
【訂正対象項目名】００３５
【訂正方法】変更
【訂正の内容】
【００３５】
実施例
例１
ピメタゾール（Ｐｙｒｍｅｔａｚｏｌ）０．０５モルをアセトンに溶解させ、ｍ−クロロ過安息香酸０．０５モル（８．６ｇ）を連続してこの溶液に添加する。反応混合物の温度を反応が終了するまで約０℃に保つ。ｍ−クロロ過安息香酸の添加の終了時に、白色の結晶性沈殿が生じる。ついでｐＨを７．０を超えて高めるために１．０Ｍ炭酸カリウム溶液を水に添加する。ついで結晶を分離し、アセトン及び水で洗浄する。洗浄された結晶を真空下に乾燥させる。
【誤訳訂正５】
【訂正対象書類名】明細書
【訂正対象項目名】００３７
【訂正方法】変更
【訂正の内容】
【００３７】
例２
ピメタゾール０．０５モルを水含量１０％（ｖ／ｖ）のアセトン−水−混合物に溶解させ、ｍ−クロロ過安息香酸０．０５モル（８．６ｇ）を連続してこの溶液に添加する。反応混合物の温度を反応が終了するまで約−３℃に保つ。ｍ−クロロ過安息香酸の添加の終了時に、ｐＨを７．０を超えて高めるために５．０ＭＮａＯＨ溶液を添加する。ついで溶剤を減圧下で除去する。その際白色結晶性沈殿が生じる。結晶を分離し、アセトン及び水で洗浄する。洗浄された結晶を真空下に乾燥させる。
【誤訳訂正６】
【訂正対象書類名】明細書
【訂正対象項目名】００３９
【訂正方法】変更
【訂正の内容】
【００３９】
例３
ピメタゾール０．０５モルを水含量１５％（ｖ／ｖ）のアセトン−水−混合物に溶解させる。溶剤は７．０より高いｐＨを有し、これは重炭酸ナトリウム０．０５５モル（５．５ｇ）の存在下によって維持される。ついでｍ−クロロ過安息香酸０．０５モル（８．６ｇ）を連続してこの溶液に添加し、混合物を反応させる。添加の間及び反応が終了するまで反応混合物の温度を約０℃に保つ。ｍ−クロロ過安息香酸の添加後、更に水を添加し、ついで溶剤を減圧下に除去する。その際白色結晶性沈殿が生じる。結晶を分離し、アセトン及び水で洗浄する。洗浄された結晶を真空下に乾燥させる。
【誤訳訂正書】
【提出日】平成23年4月1日(2011.4.1)
【誤訳訂正１】
【訂正対象書類名】明細書
【訂正対象項目名】００７４
【訂正方法】変更
【訂正の内容】
【００７４】
（式中、Ｒ1、Ｒ2、Ｒ3、Ｒ4及びＲ5は、上で定義されたとおりである）
の少なくとも１個のモノ又はビスアシルホスフィンオキシド、
（ｂ）少なくとも1個の分散剤、
（ｃ）水、
及び、場合により、
（ｄ）さらなる添加剤
を含む水性で、貯蔵安定な、非沈降の光開始剤の懸濁液の、
（１）成分（ａ）、（ｂ）及び（ｃ）並びに、任意の（ｄ）を攪拌によって懸濁すること、
（２）懸濁液中の固形物質の粒子サイズが約６０μmになるように、生成された混合物を粗く粉砕すること、及び
（３）懸濁液中の固形物質の粒子サイズが１２μm未満になるように、１回以上の粉砕操作によって混合物を微細粉砕すること、
による調製方法にも関する。
【誤訳訂正書】
【提出日】平成23年5月6日(2011.5.6)
【誤訳訂正１】
【訂正対象書類名】明細書
【訂正対象項目名】００３４
【訂正方法】変更
【訂正の内容】
【００３４】
前記混合容積は、配管、ポンプ、分配及び捕集装置等の実際の物理的容積と直接関係ないことに注意すべきである。この混合容積は、分配及び捕集装置がどれほど良好に作動するかに依存している。それは、適する試験方法によってのみ、測定可能である。試験は、明確な濃度勾配（非常に少ない容積、例えば１リットル中で、濃度が、例えば、１ｇ／１００ｍＬから４５ｇ／１００ｍＬまで増加する）をシステム内に注入し、そして、典型的には区画及び／又はカラムの間の、配管、ポンプ、分配及び捕集装置等の中で生じる混合により、前記勾配がどの程度明確でなくなるかを測定することにより、行うことができる。樹脂床内の混合は、試験システムにおいて極小化されるべきである。測定されるシステムの吐出口において、濃度が１ｇ／１００ｍＬから４５ｇ／１００ｍＬまで増加するためにどれほどのリットルが必要とされるかを測定することにより、吐出勾配の測定容積から元の勾配容積を差し引くことによって、混合容積が決定され得る。
【誤訳訂正書】
【提出日】平成22年12月3日(2010.12.3)
【誤訳訂正１】
【訂正対象書類名】特許請求の範囲
【訂正対象項目名】全文
【訂正方法】変更
【訂正の内容】
【特許請求の範囲】
【請求項１】
式（Ｉ）：
【化１】
2006518716.tif 000001
［式中、Ｒ1及びＲ2はそれぞれ独立して（Ｃ1−Ｃ6）−アルキル（ここで該アルキル基は直鎖又は分岐鎖であってよい）であるか、又はＲ1及びＲ2は酸素原子と一緒に環式ケタール（ここでＲ1及びＲ2は一緒になって（Ｃ2−Ｃ4）−アルキリデン基である）を形成し、ピリジン基は２−、３−又は４−位で置換されている］の１−（ピリジニル）−１，１−ジアルコキシ−１−アミノエタン誘導体の製造法であって、
工程（ａ）で、式（Ｖ）のアセチルピリジンを、ヒドロキシルアンモニウム化合物の水溶液、又はヒドロキシルアミンの水溶液を用いて、Ｍn+を含む無機塩基を添加して、式（ＩＸ）のアセチルピリジンオキシム金属塩（ここでｎは１又は２、そしてＭn+はアルカリ金属又はアルカリ土類金属イオンである）に変換し、
【化２】
2006518716.tif 000002
工程（ｂ）で、式（ＩＸ）のアセチルピリジンオキシム金属塩を、水不混和性又はわずかに水可溶性又は水不溶性の適当な溶媒中の、脱離基Ｙを含むｐ−トルエンスルホン酸誘
導体（Ｘ）
【化３】
2006518716.tif 000003
（式中、ＹはＦ、Ｃｌ又はＢｒである）の溶液と反応させて、式（ＸＩ）
【化４】
2006518716.tif 000004
のアセチルピリジントシルオキシムを得るもので、この反応は水と適当な溶媒との２相混合物中で、場合によっては１種又はそれ以上の相間移動触媒の使用により進行させ、そして
工程（ｃ）で、行程（ｂ）で得られた化合物（ＸＩ）を含む溶媒相を、アルカリ金属アルコキシド、アルカリ金属水酸化物、アルカリ土類金属アルコキシド又はアルカリ土類金属水酸化物とアルコールとの混合物に直接加えることによりこの式（ＸＩ）のアセチルピリジントシルオキシムを、式（Ｉ）の化合物に変換し（ここで、“アルコキシド”とはＲ1Ｏ-及び／又はＲ2Ｏ-を意味し、そしてアルコールとはＲ1ＯＨ及び／又はＲ2ＯＨを意味し、そしてＲ1及びＲ2はそれぞれ式（Ｉ）の化合物で定義した通りである）、
そしてこの工程（ａ）ないし（ｃ）のそれぞれを独立して連続的に又はバッチ式で行うことを特徴とする上記の製造法。
【請求項２】
ピリジン基が３−位で置換されている、請求項１記載の製造法。
【請求項３】
Ｒ1及びＲ2がそれぞれ（Ｃ1−Ｃ6）−アルキルである、請求項１又は２記載の製造法。
【請求項４】
工程（ａ）で、ヒドロキシルアミン、塩化ヒドロキシルアンモニウム又は硫酸ヒドロキシルアンモニウムを使用する、請求項１〜３のいずれか１項記載の製造法。
【請求項５】
工程（ａ）で、Ｍn+がＬｉ+、Ｎａ+、Ｋ+又はＣａ2+を意味する、請求項１〜４のいず
れか１項記載の製造法。
【請求項６】
工程（ａ）で、Ｍn+を含む無機塩基が水酸化リチウム、水酸化ナトリウム、炭酸ナトリウム、炭酸水素ナトリウム、水酸化カリウム、炭酸カリウム又は水酸化カルシウムである、請求項１〜５のいずれか１項記載の製造法。
【請求項７】
工程（ｂ）で、脱離基ＹがＣｌである、請求項１〜６のいずれか１項記載の製造法。
【請求項８】
工程（ｂ）で、相間移動触媒が式（ＸＩＩ）の第４級アンモニウム塩、又は式（ＸＩＩＩ）のホスホニウム塩：
【化５】
2006518716.tif 000005
［式中、Ｒ3ないしＲ10は同じ又は異なり、そしてそれぞれ独立して
ａ）直鎖又は分岐鎖の（Ｃ1−Ｃ20）−アルキル、
ｂ）ベンジル、又は
ｃ）フェニル、そして
Ｘ-はアニオンである］である、請求項１〜７のいずれか１項記載の製造法。
【請求項９】
工程（ｃ）で、水酸化リチウム、リチウムメトキシド、リチウムエトキシド、水酸化ナトリウム、ナトリウムメトキシド、ナトリウムエトキシド、水酸化カリウム、カリウムメトキシド、カリウムエトキシド、水酸化セシウム、セシウムメトキシド又はセシウムエトキシドを使用する、請求項１〜８のいずれか１項記載の製造法。
【請求項１０】
工程（ｃ）で、式（ＸＩ）のアセチルピリジントシルオキシムを先立って乾燥せずに使用する、請求項１〜９のいずれか１項記載の製造法。
【誤訳訂正２】
【訂正対象書類名】明細書
【訂正対象項目名】００１９
【訂正方法】変更
【訂正の内容】
【００１９】
工程ステップ（ｂ）で、式（ＩＸ）のアセチルピリジン金属塩の水溶液、水性懸濁液又は単離された固体を、水不溶性又はわずかに水可溶性の適当な溶媒中の、脱離基Ｙを含むｐ−トルエンスルホン酸誘導体（Ｘ）
【化８】
2006518716.tif 000006
（式中、ＹはＦ、Ｃｌ又はＢｒ、好ましくはＣｌ）の溶液と反応させて、式（ＸＩ）のアセチルピリジントシルオキシムを得る：
【化９】
2006518716.tif 000007
【手続補正書】
【提出日】平成23年2月3日(2011.2.3)
【手続補正１】
【補正対象書類名】特許請求の範囲
【補正対象項目名】全文
【補正方法】変更
【補正の内容】
【特許請求の範囲】
【請求項１】
ヒトサイトメガロウイルス（HCMV）タンパク質の少なくとも3つの異なる抗原領域の融合体を含有するキメラ組換え抗原であって、該抗原領域はHCMV-特異的抗体に結合するB-細胞エピトープであり、ここで3つの異なる抗原領域の一つが配列番号12のアミノ酸配列からなり、該キメラ組換え抗原は、配列番号１６および３６からなる群から選択されるアミノ酸配列を含む、キメラ組換え抗原。
【請求項２】
HCMV-特異的抗体が、HCMVに感染している被験者の血清から抽出される、請求項1に記載のキメラ抗原。
【請求項３】
3つの異なる抗原領域が、共有結合によるかまたはペプチドリンカーにより結合される、請求項1または2に記載のキメラ抗原。
【請求項４】
キメラ抗原がさらに配列番号10のアミノ酸配列を含む、請求項1〜３のいずれかに記載のキメラ抗原。
【請求項５】
キメラ抗原がさらに配列番号14のアミノ酸配列を含む、請求項1〜3のいずれかに記載のキメラ抗原。
【請求項６】
キメラ抗原がさらに配列番号２、配列番号4、配列番号6および配列番号8からなる群から選択されるアミノ酸配列を含む、請求項1〜3のいずれかに記載のキメラ抗原。
【請求項７】
請求項1〜６のいずれかに記載の抗原をコードしている、ヌクレオチド。
【請求項８】
配列番号15および配列番号35からなる群から選択されるヌクレオチド配列を含む、請求項７に記載のヌクレオチド。
【請求項９】
ストリンジェントなハイブリダイゼーション条件下で、請求項７または８のいずれかに記載の配列とハイブリダイズする、ヌクレオチド。
【請求項１０】
請求項９に記載のヌクレオチドによりコードされる、キメラ組換え抗原。
【請求項１１】
DNAである、請求項７〜９のいずれかに記載のヌクレオチド。
【請求項１２】
請求項１１に記載のDNAを含む、ベクター。
【請求項１３】
請求項１２に記載のベクターにより形質転換された宿主細胞。
【請求項１４】
請求項１３に記載の宿主細胞を培養すること、および生成物を単離することを含む、請求項1〜６または１０のいずれかに記載の抗原を産生する方法。
【請求項１５】
HCMV感染の診断のための有効成分としての請求項1〜６または１０のいずれかに記載の抗原を含む医薬組成物。
【請求項１６】
請求項1〜６または１０のいずれかに記載の抗原の少なくとも１つを含むHCMV感染を検出するための組成物。
【請求項１７】
請求項１６に記載の組成物の少なくとも１つを含有する、HCMV感染の診断のためのアッセイキット。
【請求項１８】
試験サンプルを請求項１６に記載の組成物とインビトロで接触させることを含む、HCMV感染を検出または検査する方法。
【請求項１９】
請求項1〜６または１０のいずれかに記載の抗原または請求項７〜９のいずれかに記載のヌクレオチドを含む医薬組成物。
【請求項２０】
HCMV感染の予防または処置のための、有効成分として、請求項1〜６または１０のいずれかに記載の抗原または請求項７〜９のいずれかに記載のヌクレオチドを含む医薬組成物。
【請求項２１】
アジュバントと共に請求項1〜６または１０に記載の抗原の少なくとも１つまたは請求項７〜９のいずれかに記載のヌクレオチドの少なくとも１つを含んでいる免疫調節ワクチン。
【請求項２２】
ワクチンの形態にある、請求項１９に記載の医薬組成物。
【手続補正書】
【提出日】平成23年2月4日(2011.2.4)
【手続補正１】
【補正対象書類名】特許請求の範囲
【補正対象項目名】全文
【補正方法】変更
【補正の内容】
【特許請求の範囲】
【請求項１】
水性液体、水性液体中に分散したゼラチンゲル粒子および／または水性液体中に溶解したゼラチン加水分解物、並びに１種または２種以上の糖成分を含んで成る、自由流動性ゼラチン組成物、
ゼラチン、ゼラチン加水分解物および糖成分の全含有量は、該組成物の該水分活性（ａｗ値）が、０.９７以下であるように選択されている。
【請求項２】
該水分活性（ａｗ値）が、０.９３以下であることを特徴とする、請求項１に記載の組成物。
【請求項３】
該ゼラチンゲル粒子の（乾燥質量）含有量が、２０〜４０ｗｔ％であることを特徴とする、請求項１または２に記載の組成物。
【請求項４】
糖成分として、１種または２種以上のサッカロイドが含まれ、該サッカロイドの含有量が、３０ｗｔ％以上であることを特徴とする、請求項１〜３のいずれか一項に記載の組成物。
【請求項５】
該膨潤した状態の該ゼラチンゲル粒子が、０.０１〜３ｍｍの平均粒径を有することを特徴とする、請求項１〜４のいずれか一項に記載の組成物。
【請求項６】
該ゼラチン加水分解物の含有量が、２０〜６０ｗｔ％であることを特徴とする請求項１〜５のいずれか一項に記載の組成物。
【請求項７】
該ゼラチン加水分解物の平均分子量（ＭＷ）が、１、０００〜２０、０００Ｄａであることを特徴とする、請求項６に記載の組成物。
【請求項８】
糖成分として、１種または２種以上のサッカロイドが含まれ、該サッカロイドの含有量が、１０ｗｔ％以上であることを特徴とする、請求項６又は７に記載の組成物。
【請求項９】
該サッカロイドが、モノサッカロイド、ジサッカロイドおよび／またはオリゴサッカロイドから選択されることを特徴とする、請求項１〜８のいずれか一項に記載の組成物。
【請求項１０】
糖成分として、１種または２種以上のアルジトールが含まれることを特徴とする、請求項１〜９のいずれか一項に記載の組成物。
【請求項１１】
該組成物が、少量の１種または２種以上の食用酸を含むことを特徴とする、請求項１〜１０のいずれか一項に記載の組成物。
【請求項１２】
該組成物のｐＨ値が、５未満である、請求項１１に記載の組成物。
【請求項１３】
該組成物のｐＨ値が、３〜４．５である、請求項１２に記載の組成物。
【請求項１４】
該組成物が、高くても３０、０００ｃＰの粘度を有することを特徴とする、請求項１〜１３のいずれか一項に記載の組成物。
【請求項１５】
食品前駆体としての請求項１〜１４のいずれか一項に記載の組成物の使用。
【請求項１６】
製薬業界のためのカプセルの製造における、請求項１〜１４のいずれか一項に記載の組成物の使用。
【手続補正書】
【提出日】平成22年11月30日(2010.11.30)
【手続補正１】
【補正対象書類名】特許請求の範囲
【補正対象項目名】全文
【補正方法】変更
【補正の内容】
【特許請求の範囲】
【請求項１】
生物試料に適用されるタイピング・アッセイにおける遺伝子型決定の方法であって、前記試料が興味がある１つの標的核酸を含んでおり、前記標的核酸が一塩基変異多型（ＳＮＰ）を含みやすく；
-  少なくとも２本の異なる標識化プローブの存在下で、標的のリアルタイム増幅を実行し、アンプリコンの多数のコピーを作成し、各プローブが野生型及び少なくとも一つのあり得る突然変異型の両方のＳＮＰ位置でのリアルタイム検出を可能にするものである、工程、
-  ２つの検出プローブの各組合せのシグナルに基づいて判別変数値を評価する工程、及び
-  遺伝子型を判別する工程
を含む方法。
【請求項２】
前記増幅は、前記試料を、ＳＮＰ位置の両側にあるフォワードプライマーとリバースプライマーである一対のプライマーに接触させることによって実施される、請求項１に記載の方法。
【請求項３】
リアルタイム増幅は、前記試料に、一対のプライマーと同時に少なくとも２本の標識プローブを接触させることによって実施される、請求項１に記載の方法。
【請求項４】
各プローブによるアンプリコン上へのハイブリダイゼーション、前記ＳＮＰ位置を含むプローブ−アンプリコン・ハイブリッドによって、リアルタイム検出が可能である、請求項１から３の何れか一項に記載の方法。
【請求項５】
各プローブは、識別可能なシグナルを提供する標識により、及び少なくとも一つのヌクレオチドにより異なる配列により、互いに異なる、請求項１から４の何れか一項に記載の方法。
【請求項６】
プローブ配列が野生型標的に又は１つのあり得る突然変異型に対応する、請求項５に記載の方法。
【請求項７】
２つの検出プローブの各組合せの判別変数値の評価は、２つの検出プローブがアンプリコンと結合する反応の相対会合反応速度定数（ｋ1）の評価によって実現する、請求項１から６の何れか一項に記載の方法。    
【請求項８】
２つの検出プローブの各組合せの判別変数値の評価は、２つの検出プローブがアンプリコンから分離する反応の相対解離反応速度定数（ｋ2）の評価によって実現する、請求項１から６の何れか一項に記載の方法。  
【請求項９】
２つのプローブシグナルの組合せに由来する判別変数が達し得る値の範囲は、閾値を使用して範囲に分けることができ、それにより各遺伝子型ごとに判別変数が達し得る値の範囲は、これらの範囲の１つに集まる、請求項７又は８に記載の方法。  
【請求項１０】
マルチ対立遺伝子ＳＮＰが２対立遺伝子ＳＮＰである、請求項１から９の何れか一項に記載の方法。
【請求項１１】
判別変数が達し得る値は、閾値を使用して３つの範囲に分けられる、請求項１０に記載の方法。
【請求項１２】
ヘテロ接合の標的の場合、判別変数が達し得る値は、中間範囲に集まる、請求項１０に記載の方法。
【請求項１３】
判別変数の達し得る値が下部範囲に集まる場合、標的配列は：
第１のプローブが突然変異型を検出できて、さらに第２のプローブが野生型を検出できる場合は、ホモ接合野生型であり、
第１のプローブが野生型を検出できて、さらに第２のプローブが突然変異型を検出できる場合は、ホモ接合突然変異型である、請求項７および１０に記載の方法。
【請求項１４】
判別変数の達し得る値が上部範囲に集まる場合、標的配列は：
第１のプローブが野生型を検出できて、さらに第２のプローブが突然変異型を検出できる場合は、ホモ接合野生型であり、
第２のプローブが突然変異型を検出できて、さらに第１のプローブが野生型を検出できる場合は、ホモ接合突然変異型である、請求項７および１０に記載の方法。
【請求項１５】
ヘテロ接合型の場合の判別変数値の評価は、比率（ｋWT→WT  ＋  ｋWT→m）／（ｋm→m  ＋  ｋm→WT）またはその逆数の評価によって実現する、請求項１２に記載の方法。
【請求項１６】
ホモ接合突然変異型の場合の判別変数値の評価は、比率ｋWT→m／ｋm→mまたはその逆数の評価によって実現する、請求項１３または１４に記載の方法。
【請求項１７】
ホモ接合野生型の場合の判別変数値の評価は、比率ｋWT→WT／ｋm→WTまたはその逆数の評価によって実現する、請求項１３または１４に記載の方法。
【請求項１８】
プローブが分子ビーコンによって構成される、請求項１から１７の何れか一項に記載の方法。
【請求項１９】
標的核酸配列がＤＮＡである、請求項１から１８の何れか一項に記載の方法。
【請求項２０】
増幅反応が転写ベースの増幅方法、好ましくはＮＡＳＢＡ法である、請求項１から１９の何れか一項に記載の方法。
【請求項２１】
生物試料に適用されるタイピング・アッセイにおいて遺伝子型の検出のためのテストキットであって：
-  一組のオリゴヌクレオチド・プライマー、
-  増幅された核酸配列の少なくとも一部分に対して実質的に相補的な核酸配列を含む少なくとも２つのオリゴヌクレオチド・プローブであって、１つのプローブが野生型の同定のために設けられており、他のプローブが突然変異型の同定のために設けられており、各プローブは互いに異なる検出可能な標識と共に提供される、少なくとも２つのオリゴヌクレオチド・プローブ、及び
-  適切な増幅試薬を含むキット。
【請求項２２】
オリゴヌクレオチド・プライマーのうちの少なくとも１つのいわゆるフォワードプライマーは、ＲＮＡポリメラーゼプロモーター、好ましくはＴ７  ＲＮＡポリメラーゼと関連することを特徴とする、請求項２１に記載のテストキット。
【請求項２３】
各オリゴヌクレオチド・プローブがフォワードプライマーとリバースプライマーを使用して増幅される核酸の領域にハイブリダイズすることができる核酸配列を含む、請求項２１または２２に記載のテストキット。
【請求項２４】
適切な増幅試薬が転写ベースの増幅方法、好ましくはＮＡＳＢＡ法を可能にする、請求項２１から２３の何れか一項に記載のテストキット。
【手続補正書】
【提出日】平成23年2月4日(2011.2.4)
【手続補正１】
【補正対象書類名】特許請求の範囲
【補正対象項目名】全文
【補正方法】変更
【補正の内容】
【特許請求の範囲】
【請求項１】
動物の行動を表示する方法であって、
前記動物の動作から特定の活動シーケンスを識別する段階と、
前記特定の活動シーケンスに対応する視覚的表現シーケンスを決定する段階と、
前記視覚的表現を含む複数の画像を表示する段階と、
を備える方法。
【請求項２】
動物の行動を観察する方法であって、
前記動物に取り付けられた少なくとも１つのセンサを用いて前記動物の動作を検知する段階と、
前記少なくとも１つのセンサから動作データを収集する段階と、
前記動作データから、前記動物の特定の活動シーケンスを識別する段階と、
前記特定の活動シーケンスに対応する視覚的表現シーケンスを決定する段階と、
前記視覚的表現を含む複数の画像を表示する段階と、
を備える方法。
【請求項３】
前記特定の活動は、前記少なくとも１つのセンサによって検知された前記動作データと参照データとが少なくとも部分的に一致することによって識別される、請求項２に記載の方法。
【請求項４】
前記視覚的表現シーケンスは、前記動作データと前記参照データとの正確な一致に対応した活動の少なくとも１つの表現を含む、請求項３に記載の方法。
【請求項５】
前記視覚的表現シーケンスは、前記動作データと前記参照データとの見込みに基づく一致に対応する活動の少なくとも１つの表現を含む、請求項３または４に記載の方法。
【請求項６】
前記視覚的表現の少なくとも１つは、前記視覚的表現の特殊性を高める少なくとも１つの架空要素を含み、前記架空要素は、前記動物の実際の活動とは必ずしも一致しない、請求項１から５のいずれか一項に記載の方法。
【請求項７】
前記視覚的表現シーケンスは、少なくとも１つの前記特定の活動の強度および持続時間の少なくとも一方の表示を有する、請求項１から６のいずれか一項に記載の方法。
【請求項８】
前記視覚的表現シーケンスは、前記動物の前記特定の活動の間における環境条件の表示をさらに有する、請求項１から７のいずれか一項に記載の方法。
【請求項９】
前記視覚的表現シーケンスは、前記動物の前記特定の活動の間の前記動物の生理的状態の表示をさらに有する、請求項１から８のいずれか一項に記載の方法。
【請求項１０】
前記視覚的表現は、コンピュータによって生成された画像である、請求項１から９のいずれか一項に記載の方法。
【請求項１１】
少なくとも１つの予め決められた活動、または、特定の活動シーケンスが識別された場合、警報通知を発することをさらに含む、請求項１から１０のいずれか一項に記載の方法。
【請求項１２】
前記警報通知は、コンピュータシステムにおける視覚および音声信号の少なくとも一方である、請求項１１に記載の方法。
【請求項１３】
前記警報通知は、電子メール、ＳＭＳまたはＭＭＳメッセージである、請求項１１に記載の方法。
【請求項１４】
動物監視システムであって、
動物に取り付けられる少なくとも１つのセンサを有するセンサ配列と、
前記センサ配列からデータを収集するデータ収集手段と、
処理手段と、
を備え、前記処理手段は、
前記動物の特定の活動シーケンス、前記特定の活動シーケンスに対応する視覚的表現シーケンス、および前記視覚的表現を含む、表示用の複数の画像をセンサデータから識別する手段を有する、動物監視システム。
【請求項１５】
前記処理手段は、コンピュータプロセッサにより用いられる命令を提供するコンピュータソフトウェアである、請求項１４に記載の動物監視システム。
【請求項１６】
前記センサ配列は、動作、振動、傾斜、場所、音、温度、光量、湿度、心拍数、呼吸数、および、匂いを検知することが可能な複数のセンサから選ばれる１つ以上のセンサを有する、請求項１４または１５に記載の動物監視システム。
【請求項１７】
前記データ収集手段は、前記センサ配列からの信号を無線送信機によって受信する無線受信ステーションである、請求項１４から１６のいずれか一項に記載の動物監視システム。
【請求項１８】
前記データ収集手段は、コンピュータネットワークに接続される、請求項１４から１７のいずれか一項に記載の動物監視システム。
【請求項１９】
前記データ収集手段は、インターネットを介してアクセス可能である、請求項１４から１８のいずれか一項に記載の動物監視システム。
【請求項２０】
前記特定の活動を識別する前記処理手段は、前記少なくとも１つのセンサによって検知されたセンサデータと参照データとを少なくとも部分的に一致させる機能を有する、請求項１４から１９のいずれか一項に記載の動物監視システム。
【請求項２１】
前記特定の活動を識別する前記処理手段は、前記センサデータと前記参照データとを正確に一致させる機能を有する、請求項２０に記載の動物監視システム。
【請求項２２】
前記特定の活動を識別する前記処理手段は、前記センサデータと前記参照データとを確率的に一致させる機能を有する、請求項２０または２１に記載の動物監視システム。
【請求項２３】
前記表示用の視覚的表現シーケンスを提供する前記処理手段は、少なくとも１つの架空要素を追加して前記視覚的表現のいずれかの特殊性を高める機能を有し、前記架空要素は、監視される前記動物の実際の行動と必ずしも一致しない、請求項１４から２２のいずれか一項に記載の動物監視システム。
【請求項２４】
前記表示用の視覚的表現シーケンスを提供する前記処理手段は、前記特定の活動の少なくとも１つの強度および持続時間の少なくとも一方を示す機能を有する、請求項１４から２３のいずれか一項に記載の動物監視システム。
【請求項２５】
前記視覚的表現シーケンスを提供する前記処理手段は、前記動物の前記特定の活動の間における環境条件の表示を追加する機能を有する、請求項１４から２４のいずれか一項に記載の動物監視システム。
【請求項２６】
前記視覚的表現シーケンスを提供する前記処理手段は、前記動物の前記特定の活動の間の前記動物の生理的状態の表示を追加する機能を有する、請求項１４から２５のいずれか一項に記載の動物監視システム。
【請求項２７】
前記処理手段は、少なくとも１つの予め決められた活動または特定の活動シーケンスが識別された場合、警報通知を発する機能を有する、請求項１４から２６のいずれか一項に記載の動物監視システム。
【請求項２８】
前記警報通知は、コンピュータシステムにおける視覚および音声信号の少なくとも一方である、請求項２７に記載の動物監視システム。
【請求項２９】
前記警報通知は、電子メール、ＳＭＳまたはＭＭＳメッセージである、請求項２７に記載の動物監視システム。
【手続補正書】
【提出日】平成23年1月14日(2011.1.14)
【手続補正１】
【補正対象書類名】特許請求の範囲
【補正対象項目名】全文
【補正方法】変更
【補正の内容】
【特許請求の範囲】
【請求項１】
包まれたタバコ詰め物および該タバコ詰め物が包まれた状態で該タバコ詰め物内に含まれる変化のある表面を有する細長い葉巻たばこ引き具を含んでなる新規な葉巻たばこであって、該葉巻たばこ引き具が端部から該葉巻たばこの長さの少なくとも１／４まで伸びておりそして該タバコ詰め物を通って引っ張られて葉巻たばこの吸い込み性を改良することが可能な葉巻たばこ。
【請求項２】
該細長い葉巻たばこ引き具に取り付けられた引きタブをさらに含んでなり、該引きタブが該包まれたタバコ詰め物の外部にある、請求項１の葉巻たばこ。
【請求項３】
該細長い葉巻たばこ引き具が中空でありそして該細長い葉巻たばこ引き具の表面が複数の孔を有する、請求項１の葉巻たばこ。
【請求項４】
該細長い葉巻たばこ引き具が連続的な溝を含有する表面を有する、請求項１の葉巻たばこ。
【請求項５】
葉巻たばこの内部に含有されるタバコ詰め物に風味剤および／または芳香物質を注入して葉巻たばこの味および／または芳香を変える方法であって、該葉巻たばこに該葉巻たばこの一端から伸びており且つタバコ詰め物内に置かれた細長い葉巻たばこ引き具を装備し、風味剤および／または芳香物質を該葉巻たばこ引き具に加えて該風味剤および／または芳香剤を該葉巻たばこ引き具に隣接するタバコ詰め物と接触させることを含んでなる方法。
【請求項６】
該葉巻たばこ引き具が中空であって中空内部を与えそして複数の孔を含有する表面を有し、該風味剤および芳香剤が該葉巻たばこ引き具の中空内部に加えられ、該風味剤および／または芳香剤が該孔を通って該タバコ詰め物に分散される、請求項５の方法。
【請求項７】
該葉巻たばこ引き具が連続的な溝を有する外側表面を含有し、該風味剤および／または芳香剤が該溝に適用される液体でありそして該液体が該溝に沿って進むにつれて該タバコ詰め物中に分散される、請求項５の方法。
【請求項８】
該風味剤および／または芳香剤が果実もしくは植物の油または抽出物から構成される、請求項５の方法。
【手続補正書】
【提出日】平成23年1月24日(2011.1.24)
【手続補正１】
【補正対象書類名】特許請求の範囲
【補正対象項目名】全文
【補正方法】変更
【補正の内容】
【特許請求の範囲】
【請求項１】
パーキン活性のインビトロでの測定方法であって：
（ａ）パーキンタンパク質およびＳ５ａタンパク質を、Ｓ５ａタンパク質がパーキンによりユビキチン化される条件下で一緒にインキュベーションし、そして
（ｂ）Ｓ５ａタンパク質のユビキチン化の速度または程度を測定する、
ことを含んでなる上記方法。
【請求項２】
パーキン活性のモジュレーターに関するアッセイ方法であって、
（ａ）パーキンタンパク質およびＳ５ａタンパク質を、Ｓ５ａタンパク質がユビキチン化され得る条件下で一緒にインキュベーションし；
（ｂ）パーキンタンパク質およびＳ５ａタンパク質を試験作用物質の存在下で（ａ）の条件下にて一緒にインキュベーションし；
（ｃ）試験作用物質の存在および不存在下でＳ５ａのユビキチン化の速度もしくは程度を比較することを含んでなり、ここで試験作用物質の存在下でのＳ５ａのユビキチン化の相対的増加は、試験作用物質がパーキン活性の正のモジュレーターであることを示し、そして試験作用物質の存在下でのＳ５ａのユビキチン化の相対的減少は、試験作用物質がパーキン活性を阻害することを示す、上記アッセイ方法。
【請求項３】
細胞をベースとし、（ａ）工程がパーキンタンパク質およびＳ５ａタンパク質を発現する哺乳動物細胞を提供する工程を含むことを特徴とする、請求項１に記載の方法。
【請求項４】
（ａ）工程中で哺乳動物細胞がパーキンタンパク質およびＳ５ａタンパク質を発現し、（ｂ）工程が（ａ）工程の細胞を試験作用物質に曝す工程を含む、琴を特徴とする、請求項２に記載の方法。
【請求項５】
パーキンおよびＳ５ａがヒト由来である請求項１または２に記載の方法。
【請求項６】
パーキンおよびＳ５ａの少なくとも１つが細胞に対して異種である、請求項３または４に記載の方法。
【請求項７】
測定されるパーキン活性がパーキンＥ３リガーゼ活性である、請求項１に記載の方法。
【請求項８】
パーキン活性の正のモジュレーターの特異性のインビトロでの評価方法であって：
（ａ）パーキン以外のＥ３リガーゼタンパク質およびパーキン基質タンパク質を、基質がユビキチン化される条件下で一緒にインキュベーションし；
（ｂ）Ｅ３リガーゼタンパク質およびパーキン基質タンパク質を、パーキン活性の正のモジュレーターの存在下で（ａ）の条件下にて一緒にインキュベーションし；
（ｃ）正のモジュレーターの存在および不存在下でＥ３リガーゼのリガーゼ活性を比較することを含んでなり、ここで正のモジュレーターが存在する場合にＥ３リガーゼ活性の増加は、正のモジュレーターがパーキンに対して完全には特異的でないことを示し、そして増加の不存在は正のモジュレーターがパーキンに対して完全に特異的であることを示す、上記方法。
【請求項９】
正のモジュレーターの存在下でのＳ５ａタンパク質のユビキチン化の増加は、正のモジュレーターがパーキンに対して完全には特異的ではないことを示すが、正のモジュレーターが部分的に特異的であると決定される請求項８に記載のインビトロアッセイ方法であって、部分的特異性は非−パーキンＥ３に対してＥＣ10が１００マイクロモル以下であり、そしてパーキンに対するＥＣ10よりも少なくとも４倍高いもの定義される上記方法。
【請求項１０】
Ｅ３リガーゼタンパク質がＲＩＮＧ  Ｅ３リガーゼである請求項８に記載の方法。
【請求項１１】
Ｅ３リガーゼタンパク質がＭｄｍ２、Ｎｅｄｄ４、Ｍｕｒｆ１およびＥ６ＡＰからなる群から選択される、請求項８に記載の方法。
【請求項１２】
請求項８に記載の方法であって、パーキン活性の正のモジュレーターが：
（ａ）パーキンタンパク質およびＳ５ａタンパク質を、Ｓ５ａタンパク質がユビキチン化され得る条件下で一緒にインキュベーションし；
（ｂ）パーキンタンパク質およびＳ５ａタンパク質を試験作用物質の存在下で（ａ）の条件下にて一緒にインキュベーションし；
（ｃ）試験作用物質の存在および不存在下でＳ５ａのユビキチン化の速度もしくは程度を比較することを含んでなり、ここで試験作用物質の存在下でのＳ５ａのユビキチン化の相対的増加は、試験作用物質がパーキン活性の正のモジュレーターであることを示すアッセイ方法で同定される、上記方法。
【請求項１３】
（ａ）工程および（ｂ）工程の前に、パーキンタンパク質が、パーキン活性を試験作用物質の不存在下での４０〜７０％まで下げる熱的条件下にて試験作用物質の存在下でインキュベーションされる、請求項１２に記載の方法。
【請求項１４】
請求項１２に記載の方法であって、パーキン活性の正のモジュレーターが：
（ａ）パーキンを発現し、そしてＳ５ａを発現する哺乳動物細胞を準備し；
（ｂ）細胞を試験作用物質に対して暴露し；
（ｃ）試験作用物質の存在下でＳ５ａのユビキチン化の速度もしくは程度を、試験作用物質に暴露しない対照細胞でのＳ５ａのユビキチン化の速度もしくは程度と比較することを含んでなり、ここで試験作用物質の存在下でＳ５ａのユビキチン化の相対的増加は、試験作用物質がパーキン活性の正のモジュレーターであることを示すアッセイ方法で同定される、上記方法。
【手続補正書】
【提出日】平成23年1月31日(2011.1.31)
【手続補正１】
【補正対象書類名】特許請求の範囲
【補正対象項目名】全文
【補正方法】変更
【補正の内容】
【特許請求の範囲】
【請求項１】
ＤＣＩＲ特異的抗体又はその断片と標的作用物質とが結合した抗体−作用物質複合体を含む医薬組成物であって、前記抗体−作用物質複合体と接触した抗原提示細胞によって、前記抗体−作用物質複合体が内部移行されることを特徴とする、ＤＣＩＲ発現抗原提示細胞による抗原提示の有効性を増大させる医薬組成物。
【請求項２】
抗原提示細胞が樹状細胞を含む、請求項１に記載の医薬組成物。
【請求項３】
ＤＣＩＲ特異的抗体又はその断片がコヘリン／ドックリン対の一方の半分に結合している、請求項１に記載の医薬組成物。
【請求項４】
ＤＣＩＲ特異的抗体又はその断片がコヘリン／ドックリン対の一方の半分に結合し、標的作用物質がコヘリン／ドックリン対の他方の半分に結合して複合体を形成する、請求項１に記載の医薬組成物。
【請求項５】
標的作用物質が、ペプチド、タンパク質、脂質、糖質、核酸及びこれらの組合せから選択される、請求項１に記載の医薬組成物。
【請求項６】
標的作用物質が１又は複数のサイトカインを含む、請求項１に記載の医薬組成物。
【請求項７】
標的作用物質が、インターロイキン、トランスフォーミング成長因子（ＴＧＦ）、線維芽細胞成長因子（ＦＧＦ）、血小板由来成長因子（ＰＤＧＦ）、上皮成長因子（ＥＧＦ）、結合組織活性化ペプチド（ＣＴＡＰ）、骨形成因子、並びにそのような成長因子の生理学的に活性な類似体、断片及び誘導体、Ｂ／Ｔ細胞分化因子、Ｂ／Ｔ細胞成長因子、分裂促進サイトカイン、走化性サイトカイン、コロニー刺激因子、血管形成誘導因子、ＩＦＮ−α、ＩＦＮ−β、ＩＦＮ−γ、ＩＬ１、ＩＬ２、ＩＬ３、ＩＬ４、ＩＬ５、ＩＬ６、ＩＬ７、ＩＬ８、ＩＬ９、ＩＬ１０、ＩＬ１１、ＩＬ１２、ＩＬ１３、ＩＬ１４、ＩＬ１５、ＩＬ１６、ＩＬ１７、ＩＬ１８、レプチン、ミオスタチン、マクロファージ刺激タンパク質、血小板由来成長因子、ＴＮＦ−α、ＴＮＦ−β、ＮＧＦ、ＣＤ４０Ｌ、ＣＤ１３７Ｌ／４−１ＢＢＬ、ヒトリンフォトキシン−β、Ｇ−ＣＳＦ、Ｍ−ＣＳＦ、ＧＭ−ＣＳＦ、ＰＤＧＦ、ＩＬ−１α、ＩＬ１−β、ＩＰ−１０、ＰＦ４、ＧＲＯ、９Ｅ３、エリスロポエチン、エンドスタチン、アンギオスタチン、ＶＥＧＦ、並びにβトランスフォーミング成長因子、骨形成タンパク質、ヘパリン結合性成長因子（線維芽細胞成長因子（ＦＧＦ）、上皮成長因子（ＥＧＦ）、血小板由来性成長因子（ＰＤＧＦ）、インスリン様増殖因子（ＩＧＦ））、インヒビン、増殖分化因子及びアクチビンを含むトランスフォーミング成長因子（ＴＧＦ）遺伝子スーパーファミリーから選択される１又は複数のサイトカインを含む、請求項６に記載の医薬組成物。
【請求項８】
標的作用物質が、細菌性、ウイルス性、真菌性、原生動物性又は癌性のタンパク質を含む、請求項１に記載の医薬組成物。
【請求項９】
抗原が結合しているＤＣＩＲ特異的抗体又はその断片を含む医薬組成物であって、前記抗体−抗原複合体と接触した樹状細胞によって、前記抗原がプロセシング及び提示されることを特徴とする、樹状細胞による抗原提示の有効性を増大させる医薬組成物。
【請求項１０】
防御的又は治療的免疫応答を誘発する目的で抗原を抗原提示細胞に送達するための、ＤＣＩＲに対する抗体又は他の特異的結合分子。
【請求項１１】
皮膚を介したワクチン接種のための、ＤＣＩＲに特異的な抗原標的試薬。
【請求項１２】
同時投与又は連結されたワクチン接種用アジュバントと併用した、ＤＣＩＲに特異的な抗原標的試薬。
【請求項１３】
組換え抗原−抗体融合タンパク質として発現することができる特異的抗原を含むワクチン。
【請求項１４】
哺乳動物細胞から分泌された抗ＤＣＩＲ免疫グロブリン又はその一部分、及び前記免疫グロブリンに結合した抗原。
【請求項１５】
免疫グロブリンがコヒーシン／ドックリンドメインの一方の半分に結合している、請求項１４に記載の免疫グロブリン。
【請求項１６】
モジュールｒＡｂ担体と複合体を、抗原に結合した、コヒーシン−ドックリン結合対の他方の半分をさらに含む、請求項１４に記載の免疫グロブリン。
【請求項１７】
抗原との融合タンパク質である、コヒーシン−ドックリン結合対の他方の半分をさらに含む、請求項１４に記載の免疫グロブリン。
【請求項１８】
抗原特異的なドメインが、完全長抗体、抗体可変領域ドメイン、Ｆａｂ断片、Ｆａｂ’断片、Ｆ（ａｂ）２断片及びＦｖ断片、並びにＦａｂｃ断片、及び／又はＦｃドメインの部分を伴ったＦａｂ断片を含む、請求項１４に記載の免疫グロブリン。
【請求項１９】
免疫グロブリンが、放射性同位元素、金属、酵素、ボツリヌス毒素、破傷風、リシン、コレラ、ジフテリア、アフラトキシン、ウェルシュ菌毒素、マイコトキシン、志賀毒素、ブドウ球菌エンテロトキシンＢ、Ｔ２、セグイトキシン、サキシトキシン、アブリン、シアノジノシン、α毒素、テトロドトキシン、アコノトキシン、ヘビ毒及びクモ毒からなる群から選択される毒素に結合している、請求項１４に記載の免疫グロブリン。
【請求項２０】
抗原が免疫グロブリンとの融合タンパク質である、請求項１４に記載の免疫グロブリン。
【請求項２１】
抗体−抗原複合体を、抗原が結合するＤＣＩＲ特異的抗体又はその断片を含むワクチンであって、前記抗原が抗体−抗原複合体と接触した樹状細胞によってプロセシング及び提示されるワクチン。
【請求項２２】
抗原がＤＣＩＲを含む、請求項２１に記載のワクチン。
【請求項２３】
Ｎｅｕ５Ａｃα２−３Ｇａｌβ１−４ＧｌｃＮＡｃβ１−２Ｍａｎα１−３（Ｎｅｕ５Ａｃα２−３Ｇａｌβ１−４ＧｌｃＮＡｃβ１−２Ｍａｎα１−６）Ｍａｎβ１−４ＧｌｃＮＡｃβ１−４ＧｌｃＮＡｃβ−Ｓｐ１２を含むグリカンの少なくとも一部に結合した、ＤＣＩＲに特異的に結合する抗原性Ｔ細胞エピトープペプチド
を含むＴ細胞抗原。